(57)【要約】  加熱調理器は、被加熱物を収容する内鍋(７)と、内鍋(７)が収納される加熱調理器本体(１)と、加熱調理器本体(１)に取り付けられ、被加熱物を加熱するための加熱部(１０)と、加熱調理器本体(１)の上部に開閉可能に取り付けられ、内鍋(７)を覆うように閉じることが可能な蓋体(２)と、加熱調理器本体(１)と蓋体(２)との間に回転可能に配置された回転体(１１)と、回転体(１１)に取り付けられて、内鍋(７)内の被加熱物に接触した攪拌状態と、内鍋(７)内の被加熱物から乖離した非攪拌状態とを切替可能な攪拌体(１２Ａ，１２Ｂ)と、蓋体(２)が閉じられた状態において、攪拌体(１２Ａ，１２Ｂ)が攪拌状態と非攪拌状態とのどちらになっているかを報知する報知部(５)とを備えている。
2013122153.tif 000002
【特許請求の範囲】
【請求項１】
被加熱物を収容する内鍋(７)と、
上記内鍋(７)が収納される加熱調理器本体(１)と、
上記加熱調理器本体(１)に取り付けられ、上記被加熱物を加熱するための加熱部(１０)と、
上記加熱調理器本体(１)の上部に開閉可能に取り付けられ、上記内鍋(７)を覆うように閉じることが可能な蓋体(２)と、
上記加熱調理器本体(１)と上記蓋体(２)との間に回転可能に配置された回転体(１１)と、
上記回転体(１１)に取り付けられて、上記内鍋(７)内の被加熱物に接触した攪拌状態と、上記内鍋(７)内の被加熱物から乖離した非攪拌状態とを切替可能な攪拌体(１２Ａ，１２Ｂ)と、
上記蓋体(２)が閉じられた状態において、上記攪拌体(１２Ａ，１２Ｂ)が上記攪拌状態と上記非攪拌状態とのどちらになっているかを報知する報知部(５)と
を備えることを特徴とする加熱調理器。
【請求項２】
請求項１に記載の加熱調理器において、
上記報知部(５)は、上記攪拌体(１２Ａ，１２Ｂ)に係る報知を視覚的に行う表示部(５)であることを特徴とする加熱調理器。
【請求項３】
請求項２に記載の加熱調理器において、
上記表示部(５)は、上記攪拌状態および上記非攪拌状態に関連付けされた炊飯工程を表示することを特徴とする加熱調理器。
【請求項４】
請求項２または３に記載の加熱調理器において、
上記蓋体(２)をロックするロック機構(９)を備え、
上記表示部(５)は、上記ロック機構(９)が上記蓋体(２)をロックしているか否かを表示することを特徴とする加熱調理器。
【請求項５】
請求項２から４までのいずれか一項に記載の加熱調理器において、
上記表示部(５)は、上記回転体(１１)が回転している状態を表示することを特徴とする加熱調理器。
【発明の詳細な説明】
【技術分野】
【０００１】
本発明は、攪拌機能を有する加熱調理器に関する。
【背景技術】
【０００２】
従来、加熱調理器の一例である炊飯器としては、内鍋を収納する炊飯器本体と、炊飯器本体の上部に取り付けられた開閉可能な蓋体と、この蓋体の内鍋に対向する部分に設けられ、内鍋内の米を攪拌する攪拌体とを備えたものがある(特開平７−２８９４２４号公報(特許文献１)参照)。この攪拌体は、蓋体内に折り畳んだ状態で収納されており、内鍋内の米を攪拌するときに開き、内鍋内の米の攪拌が終了すると、折り畳まれて蓋体内に収納される。
【先行技術文献】
【特許文献】
【０００３】
【特許文献１】特開平７−２８９４２４号公報
【発明の概要】
【発明が解決しようとする課題】
【０００４】
ところで、上記従来の炊飯器では、蓋体が閉じられていると、ユーザは攪拌体が蓋体内に折り畳まれているか否かを判別できない。このため、上記攪拌体が折り畳まれていないときに、ユーザが蓋体を開くことによって、攪拌体が内鍋内の米を巻き上げたり、蓋体の開動作が攪拌体で阻害されたりするおそれがあるという問題がある。【０００５】
また、上記攪拌体による攪拌の終了後に蓋体を開きたくても、蓋体が閉じられていると、ユーザは攪拌体の攪拌動作も確認できないので、蓋体を開いてもいい時間帯を把握できないという問題もある。【０００６】
そこで、本発明の課題は、攪拌体が内鍋内の被加熱物を巻き上げたり、蓋体の開動作が攪拌体に阻害されたりするおそれを低減でき、蓋体を開放してもいい時間帯を把握できる加熱調理器を提供することにある。
【課題を解決するための手段】
【０００７】
上記課題を解決するため、本発明の加熱調理器は、
被加熱物を収容する内鍋と、
上記内鍋が収納される加熱調理器本体と、
上記加熱調理器本体に取り付けられ、上記被加熱物を加熱するための加熱部と、
上記加熱調理器本体の上部に開閉可能に取り付けられ、上記内鍋を覆うように閉じることが可能な蓋体と、
上記加熱調理器本体と上記蓋体との間に回転可能に配置された回転体と、
上記回転体に取り付けられて、上記内鍋内の被加熱物に接触した攪拌状態と、上記内鍋内の被加熱物から乖離した非攪拌状態とを切替可能な攪拌体と、
上記蓋体が閉じられた状態において、上記攪拌体が上記攪拌状態と上記非攪拌状態とのどちらになっているかを報知する報知部と
を備えることを特徴としている。【０００８】
上記構成によれば、上記報知部は、蓋体が閉じられた状態において、攪拌体の攪拌状態または非攪拌状態を報知するので、ユーザは、蓋体を開けなくても、攪拌体の状態が攪拌状態または非攪拌状態であるかを判別できる。したがって、上記攪拌体が攪拌状態になっているときには、蓋体を開けるのをユーザに思い止まらせることができる。その結果、上記攪拌体が内鍋内の被加熱物を巻き上げたり、蓋体の開動作が攪拌体に阻害されたりするおそれを低減できる。【０００９】
また、上記攪拌体による攪拌の終了後に蓋体を開く場合、ユーザは、蓋体を開けなくても、攪拌体の状態が攪拌状態または非攪拌状態であるかを判別できるので、蓋体を開いてもいい時間帯を把握できる。【００１０】
一実施形態の加熱調理器では、
上記報知部は、上記攪拌体に係る報知を視覚的に行う表示部である。【００１１】
上記実施形態によれば、仮に、上記攪拌体に係る報知が聴覚的に行われたなら、その報知が周囲の雑音で聞こえないこともありえる。これに対して、上記表示部が攪拌体に係る報知を視覚的に行えば、周囲に雑音があっても、ユーザは攪拌体の状態を確実に判別できる。【００１２】
一実施形態の加熱調理器では、
上記表示部は、上記攪拌状態および上記非攪拌状態に関連付けされた炊飯工程を表示する。【００１３】
上記実施形態によれば、上記攪拌状態および非攪拌状態に関連付けされた炊飯工程が表示部に表示されるので、ユーザは炊飯がどの段階であるのかを確認することができる。【００１４】
一実施形態の加熱調理器は、
上記蓋体をロックするロック機構を備え、
上記表示部は、上記ロック機構が上記蓋体をロックしているか否かを表示する。【００１５】
上記実施形態によれば、上記ロック機構が蓋体をロックしているか否かが表示部に表示されるので、ロック機構が蓋体をロックしておらず、かつ、攪拌体が攪拌状態になっているときに、ユーザが蓋体を開かないようにすることができる。【００１６】
一実施形態の加熱調理器では、
上記表示部は、上記回転体が回転している状態を表示する。【００１７】
上記実施形態によれば、上記回転体が回転している状態で、蓋体が開かれた場合、回転体が他の物にあたって、回転体が破損するおそれがある。したがって、上記表示部によって、回転体が回転している状態が表示されることによって、回転体が破損するおそれがあるときには、蓋体を開けるのをユーザに思い止まらせることができる。
【発明の効果】
【００１８】
本発明の加熱調理器によれば、加熱調理器本体と蓋体との間に回転可能に配置された回転体と、この回転体に取り付けられて、内鍋内の被加熱物に接触した攪拌状態と、内鍋内の被加熱物から乖離した非攪拌状態とを切替可能な攪拌体と、蓋体が閉じられた状態において、攪拌体が攪拌状態と非攪拌状態とのどちらになっているかを報知する報知部とを備えることによって、蓋体が閉じられた状態において、攪拌体の攪拌状態または非攪拌状態が報知部で報知されるので、ユーザは、蓋体を開けなくても、攪拌体の状態が攪拌状態または非攪拌状態であるかを判別できる。したがって、上記攪拌体が攪拌状態になっているときには、蓋体を開けるのをユーザに思い止まらせることができる。その結果、上記攪拌体が内鍋内の被加熱物を巻き上げたり、蓋体の開動作が攪拌体に阻害されたりするおそれを低減できる。【００１９】
また、上記攪拌体による攪拌の終了後に蓋体を開く場合、蓋体を開けなくても、ユーザは、攪拌体の状態が攪拌状態または非攪拌状態であるかを判別できるので、蓋体を開いてもいい時間帯を把握できる。
【図面の簡単な説明】
【００２０】
【図１】図１は本発明の一実施形態の炊飯器の蓋体閉鎖時の概略斜視図である。
【図２】図２は上記炊飯器の蓋体開放時の概略斜視図である。
【図３】図３は上記炊飯器の回転体の概略下面図である。
【図４】図４は第１，第２攪拌アームの攪拌状態を説明するための概略斜視図である。
【図５】図５は上記炊飯器の制御ブロック図である。
【図６】図６は上記炊飯器の概略上面図である。
【図７】図７は内部状態表示部が表示する図である。
【図８】図８は上記内部状態表示部が表示する他の図である。
【図９】図９は上記内部状態表示部が表示する他の図である。
【図１０】図１０は上記内部状態表示部が表示する他の図である。
【図１１】図１１は上記内部状態表示部が表示する他の図である。
【図１２】図１２は上記内部状態表示部が表示する他の図である。
【図１３】図１３は上記内部状態表示部が表示する他の図である。
【図１４】図１４は上記内部状態表示部が表示する他の図である。
【図１５】図１５は上記内部状態表示部が表示する他の図である。
【図１６】図１６は内部状態表示部の変形例が表示する図である。
【図１７】図１７は液晶表示部の変形例の図である。
【発明を実施するための形態】
【００２１】
以下、本発明の加熱調理器を図示の実施形態により詳細に説明する。
【００２２】
図１は、本発明の一実施形態の炊飯器を斜め上方から見た概略斜視図である。
【００２３】
上記炊飯器は、加熱調理器本体の一例としての炊飯器本体１と、この炊飯器本体１に開閉可能に取り付けられた蓋体２とを備えている。
【００２４】
上記炊飯器本体１の前面には、蓋体２を開けるための開ボタン３を設けている。一方、炊飯器本体１の後面からは電源コード４の先端部が突き出ている。この電源コード４の大部分は、炊飯器本体１内のコードリール(図示せず)に引き出し可能に巻き付けられていている。
【００２５】
上記蓋体２の上面の前部には、炊き方や調理名などを表示する液晶表示部５と、複数の操作ボタン６，６，…とを設けている。また、内鍋７(図２参照)の蒸気は、蓋体２の上面の後部の蒸気排出口２ａから排出されるようになっている。なお、液晶表示部５は表示部の一例である。
【００２６】
図２は、上記蓋体２を開いた状態の炊飯器の概略斜視図である。
【００２７】
上記炊飯器本体１には内鍋７が収納されており、被加熱物の一例としての米や水などが内鍋７内に入る。また、炊飯器本体１の上面の前部には被係止部８を設けている。この被係止部８には、蓋体２の下面の前部に設けられた係止部２３が解除可能に係止する。また、炊飯器本体１内には、蓋体２をロックするロック機構９を設けている。このロック機構９が蓋体２をロックしていないときには、開ボタン３を押すと、被係止部８が後方に移動して、被係止部８に対する係止部２３の係止は解除される。一方、ロック機構９が蓋体２をロックしているときは、開ボタン３を押しても、被係止部８が後方に移動せず、被係止部８に対する係止部２３の係止は解除されない。また、炊飯器本体１内には、内鍋７を誘導加熱するための誘導加熱コイル１０を設置している。なお、誘導加熱コイル１０は加熱部の一例である。
【００２８】
上記内鍋７は、例えばアルミニウムなどの高熱伝導部材で形成され、その外面に加熱効率を向上させる例えばステンレス等の磁性体を貼り付ける一方、内面に被加熱物の付着を防ぐためのフッ素樹脂をコーティングしている。
【００２９】
上記蓋体２は、蓋体２を閉じたときに内鍋７側とは反対側に位置する外蓋２１と、蓋体２を閉じたときに内鍋７側に位置する内蓋２２とを有している。この外蓋２１の後部の右側角部内には駆動モータ２４を設置している。また、外蓋２１の中央部内には回転可能に連結軸(図示せず)を設置している。この連結軸は、駆動モータ２４が発生した回転駆動力を、プーリ(図示せず)やベルト(図示せず)を介して受けて回転する。
【００３０】
また、上記炊飯器本体１と蓋体２との間には回転体１１を回転可能に配置している。この回転体１１は蓋体２に着脱可能に取り付けられている。より詳しくは、回転体１１の蓋体２側の部分からは回転軸１５の一方の端部が突出している(図４参照)。この回転軸１５は、一方の端部が外蓋２１の上記連結軸に着脱可能に連結されて、上記連結軸と一体に回転する。また、回転軸１５は回転体１１に対して回転可能となっている。
【００３１】
上記回転体１１に第１，第２攪拌アーム１２Ａ，１２Ｂを取り付けている。この第１，第２攪拌アーム１２Ａ，１２Ｂは、それぞれ、径方向において回転体１１と隣り合って、内鍋７内の米などに接触した攪拌状態と、内鍋７内の米などから乖離した非攪拌状態とを切替可能になっている。すなわち、第１，第２攪拌アーム１２Ａ，１２Ｂのそれぞれは、一方の端部が回転体１１に回動可能に取り付けられて、他方の端部が、回転体１１から離れたり、回転体１１に近づいたりすることが可能になっている。なお、第１，第２攪拌アーム１２Ａ，１２Ｂは攪拌体の一例である。
【００３２】
図３は、上記回転体１１を内鍋７側から見た概略図である。
【００３３】
上記回転体１１は、蓋体側部材１３と、この蓋体側部材１３の内鍋７側の表面に着脱可能に取り付けられた内鍋側部材１４とを有している。蓋体側部材１３と内鍋側部材１４の間には、第１，第２攪拌アーム兼用傘ギア３０と、第１攪拌アーム用ギア３１Ａ，３２Ａ，３３Ａと、第２攪拌アーム用ギア３１Ｂ，３２Ｂ，３３Ｂとを配置している。回転軸１５の回転駆動は、第１，第２攪拌アーム兼用傘ギア３０および第１攪拌アーム用ギア３１Ａ，３２Ａ，３３Ａを介して第１攪拌アーム用回動軸３４Ａに伝わると共に、第１，第２攪拌アーム兼用傘ギア３０および第２攪拌アーム用ギア３１Ｂ，３２Ｂ，３３Ｂを介して第２攪拌アーム用回動軸３４Ｂに伝わる。これにより、回転軸１５が回転すれば、第１，第２攪拌アーム１２Ａ，１２Ｂが第１，第２攪拌アーム用回動軸３４Ａ，３４Ｂを中心に回動して、図２，図３に示す非攪拌状態から図４に示す攪拌状態に切り替えたり、上記攪拌状態から上記非攪拌状態に切り替えたりすることが可能になっている。
【００３４】
なお、図４では、第１，第２攪拌アーム１２Ａ，１２Ｂを視認できるように、炊飯器本体１および蓋体２の図示を省略している。
【００３５】
図５は上記炊飯器の制御ブロック図である。この図５では、主要な構成部のみ図示し、他の構成部の図示は省略している。
【００３６】
上記炊飯器は、マイクロコンピュータと入出力回路などからなる制御部４１を備えている。この制御部４１は、操作ボタン６，６，…，ロック機構９，温度センサ５２からの信号に基づいて、液晶表示部５，駆動モータ２４，誘導加熱コイル用インバータ回路５１などを制御する。この誘導加熱コイル用インバータ回路５１は、炊飯器本体１内に設置されて、誘導加熱コイル１０に交番磁界を発生させるものである。また、温度センサ５２も、炊飯器本体１内に設置されて、内鍋７の温度を示す信号を制御部４１に送出するものである。
【００３７】
図６は、上記炊飯器を上方から見た概略上面図である。この図６の一部は液晶表示部５の拡大図であるが、この拡大図では液晶表示部５が表示可能な文字および図を全て図示している。
【００３８】
上記液晶表示部５は、米表示部５ａ、炊き方表示部５ｂ、調理表示部５ｃ、内部状態表示部５ｄおよび時間表示部５ｅを有している。この米表示部５ａが、「白米」、「無洗米」、「玄米」、「発芽玄米」および「分づき米」のうちの一つを表示する。炊き方表示部５ｂが、「ふつう」、「かため」、「やわらか」、「おいそぎ」、「おかゆ」、「中華がゆ」、「炊込み」、「すしめし」、「少量」、「エコ炊飯」および「おこげ」のうちの一つを表示する。また、調理表示部５ｃは、「煮物」、「シチュー」、「蒸し物」、「お菓子」、「予約１」および「予約２」のうちの一つを表示する。これらの米表示部５ａ、炊き方表示部５ｂ、調理表示部５ｃの表示は、操作ボタン６，６，…の操作に応じて変化する。一方、内部状態表示部５ｄの表示は、回転体１１および第１，第２攪拌アーム１２Ａ，１２Ｂの状態に応じて変化する。また、時間表示部５ｅの表示は時間または調理工程の経過に伴って変化する。
【００３９】
図７〜図１５は、上記内部状態表示部５ｄの一表示例を説明するための図である。
【００４０】
上記蓋体２が閉じられた状態において、内部状態表示部５ｄは、回転体１１および第１，第２攪拌アーム１２Ａ，１２Ｂに係る報知を視覚的に行う。具体的には、内部状態表示部５ｄは、蓋体２が閉じられているときに第１，第２攪拌アーム１２Ａ，１２Ｂが非攪拌状態であると、図７に示す図を表示する一方、蓋体２が閉じられているときに第１，第２攪拌アーム１２Ａ，１２Ｂが攪拌状態であると、図８に示す図を表示する。また、蓋体２が閉じられているときに、第１，第２攪拌アーム１２Ａ，１２Ｂが攪拌状態のまま、回転体１１が回転すると、内部状態表示部５ｄは、図８、図９、図１０、図１１、図８、図９、図１０、図１１、図８、…に示す図を順次表示する。また、蓋体２が閉じられているときに、第１，第２攪拌アーム１２Ａ，１２Ｂが非攪拌状態のまま、回転体１１が回転すると、内部状態表示部５ｄは、図７、図１２、図１３、図１４、図７、図１２、図１３、図１４、図７、…に示す図を順次表示する。
【００４１】
また、図７〜図１４が示す図において、１０１は内鍋対応部、１０２は回転体対応部、１１１〜１１４は上側攪拌アーム対応部、１２１〜１２４は下側攪拌アーム対応部である。
【００４２】
上記構成の炊飯器によれば、第１，第２攪拌アーム１２Ａ，１２Ｂが図３の非攪拌状態になっている場合、駆動部２０によって回転軸１５を正回転(蓋体２側から見て時計回り)させることにより、第１，第２攪拌アーム１２Ａ，１２Ｂを回動させて、図４の攪拌状態にすることができる。さらに、回転軸１５を正回転させ続けることによって、攪拌状態の第１，第２攪拌アーム１２Ａ，１２Ｂを回転体１１と一体に回転させることができる。その結果、第１，第２攪拌アーム１２Ａ，１２Ｂで内鍋１０内の例えば米および水を攪拌できる。
【００４３】
一方、上記第１，第２攪拌アーム１２Ａ，１２Ｂが図４の攪拌状態になっている場合、駆動部２０によって回転軸１５を逆回転(蓋体２側から見て反時計回り)させることにより、第１，第２攪拌アーム１２Ａ，１２Ｂを回動させて、図２，図３の非攪拌状態にすることができる。これにより、第１，第２攪拌アーム１２Ａ，１２Ｂが蓋体２の開閉を阻害するのを防げる。
【００４４】
このように、１つの駆動モータ２４によって第１，第２攪拌アーム１２Ａ，１２Ｂの回動と回転体１１の回転とを行うことができる。
【００４５】
また、上記蓋体２が閉じられていても、内部状態表示部５ｄの表示によって、第１，第２攪拌アーム１２Ａ，１２Ｂが、図２，図３の非攪拌状態になっているか、あるいは、図４の攪拌状態になっているかを視覚的に判別できる。したがって、上記第１，第２攪拌アーム１２Ａ，１２Ｂが攪拌状態になっているときには、蓋体２を開けるのをユーザに思い止まらせることができる。その結果、第１，第２攪拌アーム１２Ａ，１２Ｂが内鍋７内の米などを巻き上げたり、蓋体２の開動作が第１，第２攪拌アーム１２Ａ，１２Ｂに阻害されたりするおそれを低減できる。
【００４６】
また、肉じゃが、ジャムなどの調理中に蓋体２が開放されて、第１，第２攪拌アーム１２Ａ，１２Ｂが、肉じゃが、ジャムなどを跳ね上げることを防止できる。
【００４７】
また、上記炊飯器でシチューを調理する場合、調理の途中に蓋体２を開き、途中で牛乳を加える必要がある。このとき、蓋体２を開けなくても、第１，第２攪拌アーム１２Ａ，１２Ｂの状態が攪拌状態，非攪拌状態のどちらであるかを判別できるので、ユーザは蓋体２を開いてもいいタイミングを正確に把握できる。したがって、シチューを手際よく仕上げることができる。
【００４８】
また、上記内部状態表示部５ｄによって第１，第２攪拌アーム１２Ａ，１２Ｂの状態が視覚的に報知されるので、周囲が騒がしくても、ユーザは第１，第２攪拌アーム１２Ａ，１２Ｂの状態を確実に判別できる。
【００４９】
また、上記回転体１１が回転しているときには、内部状態表示部５ｄが、図８、図９、図１０、図１１、図８、図９、図１０、図１１、図８、…に示す図を順次表示したり、図７、図１２、図１３、図１４、図７、図１２、図１３、図１４、図７、…に示す図を順次表示したりする。したがって、上記蓋体２を開けることで回転体１１などが破損するおそれがあるときには、蓋体２を開けるのをユーザに思い止まらせることができる。
【００５０】
上記実施形態では、誘導加熱コイル１０を加熱部の一例として用いていたが、例えば抵抗加熱式ヒータを加熱部の一例として用いていてもよい。
【００５１】
上記実施形態では、回転体１１に第１，第２攪拌アーム１２Ａ，１２Ｂの一方の端部を回動可能に取り付けていたが、回転体１１に第１，第２攪拌アーム１２Ａ，１２Ｂのうちの一つだけの一方の端部を回動可能に取り付けてもよい。すなわち、本発明では、攪拌体の本数は２本でなくても、例えば１本にしてもよい。
【００５２】
上記実施形態では、液晶表示部５によって、回転体１１および第１，第２攪拌アーム１２Ａ，１２Ｂに係る報知を視覚的に行っていたが、例えばスピーカによって、回転体１１および第１，第２攪拌アーム１２Ａ，１２Ｂに係る報知を聴覚的に行ってもよい。例えば、第１，第２攪拌アーム１２Ａ，１２Ｂが攪拌状態のときには、スピーカから音楽が流れるようにしてもよい。
【００５３】
上記実施形態では、液晶表示部５は、内部状態表示部５ｄを有していたが、ロック機構９が蓋体２をロックしていないときには、図７〜図１４に示す図を表示すると共に、ロック機構９が蓋体２をロックしているときには、図１５，図１６に示す図などを表示する内部状態表示部を有するようにしてもよい。この内部状態表示部によって、ロック機構９が蓋体２をロックしているか否かがが判別できるので、ロック機構９が蓋体２をロックしていなく、かつ、第１，第２攪拌アーム１２Ａ，１２Ｂが開いて攪拌状態になっているときに、蓋体２を開けるのをユーザに思い止まらせることができる。
【００５４】
図１５，図１６が示す図において、１０１は内鍋対応部、１０２は回転体対応部、１０３はロック状態蓋体対応部、１１１は上側攪拌アーム対応部、１２１は下側攪拌アーム対応部である。
【００５５】
上記実施形態の液晶表示部５に換えて、攪拌状態および非攪拌状態に関連付けされた炊飯工程を表示する液晶表示部５を用いてもよい。例えば、蓋体２の上面に、図１７に示す液晶表示部１０５を設けてもよい。
【００５６】
上記液晶表示部１０５は、米表示部１０５ａ、炊き方表示部１０５ｂ、調理表示部１０５ｃ、内部状態表示部１０５ｄおよび時間表示部１０５ｅの他に、炊飯工程表示部１０５ｆを有している。この炊飯工程表示部１０５ｆは、炊飯時、「洗米」、「予熱」、「沸騰」および「むらし」のうちの一つを表示する。このとき、内部状態表示部１０５ｄは、炊飯工程表示部１０５ｆの表示に係る工程に関連付けられた攪拌状態および非攪拌状態を表示する。
【００５７】
図１７では、図６と同様に、液晶表示部１０５が表示可能な文字および図を全て図示している。また、図１７の米表示部１０５ａ、炊き方表示部１０５ｂ、調理表示部１０５ｃ、内部状態表示部１０５ｄおよび時間表示部１０５ｅは、図６の米表示部５ａ、炊き方表示部５ｂ、調理表示部５ｃ、内部状態表示部５ｄおよび時間表示部５ｅと同様の部分であるので、説明は省略する。
【００５８】
上記実施形態の液晶表示部５に換えて、米表示部１０５ａ、炊き方表示部１０５ｂ、内部状態表示部１０５ｄ、時間表示部１０５ｅおよび炊飯工程表示部１０５ｆのみを有する液晶表示部を用いてもよい。
【００５９】
上記実施形態において、例えば、連結軸の回転速度を検出するロータリーエンコーダを蓋体２内に設けて、このロータリーエンコーダの出力に基づいて、回転体１１の状態を検出するようにしてもよい。
【００６０】
上記実施形態において、例えば、非攪拌状態の第１，第２攪拌アーム１２Ａ，１２Ｂでオンされるリミットスイッチを回転体１１に設けて、このリミットスイッチの出力に基づいて、第１，第２攪拌アーム１２Ａ，１２Ｂの状態を検出するようにしてもよい。
【００６１】
以上、本発明の具体的な実施形態について説明したが、本発明は上記実施形態に限定されるものではなく、本発明の範囲内で種々変更して実施することができる。例えば、上記実施形態と上述の変形例とを適宜組み合わせたものを、本発明の一実施形態としてもよい。
【符号の説明】
【００６２】
１…炊飯器本体
２…蓋体
５…液晶表示部
９…ロック機構
１０…誘導加熱コイル
１１…回転体
１２Ａ…第１攪拌アーム
１２Ｂ…第２攪拌アーム
【図１】
2013122153.tif 000003
【図２】
2013122153.tif 000004
【図３】
2013122153.tif 000005
【図４】
2013122153.tif 000006
【図５】
2013122153.tif 000007
【図６】
2013122153.tif 000008
【図７】
2013122153.tif 000009
【図８】
2013122153.tif 000010
【図９】
2013122153.tif 000011
【図１０】
2013122153.tif 000012
【図１１】
2013122153.tif 000013
【図１２】
2013122153.tif 000014
【図１３】
2013122153.tif 000015
【図１４】
2013122153.tif 000016
【図１５】
2013122153.tif 000017
【図１６】
2013122153.tif 000018
【図１７】
2013122153.tif 000019
【国際調査報告】
2013122153.tif 000020
2013122153.tif 000021
2013122153.tif 000022
2013122153.tif 000023